(57)【要約】【課題】容器の内部に収容した処方液を揮散させる薬剤揮散器において、任意形状の絵柄を局所的に表出させることが可能な揮散部を有する薬剤揮散器を提供する。【解決手段】保持枠を引き上げて揮散部６ｂが外気に露出する状態にした使用開示時から、処方液は絵柄表示領域１００によって吸収水される。その結果、揮散部６ｂに吸上げられた処方液の色素の色と絵柄表示領域１００の色とのコントラストが明確となり、花柄模様を揮散部６ｂに明確に浮かび上がらせることができる。【選択図】図６
2011072607.tif 000002
【特許請求の範囲】
【請求項１】
開口部を有する容器と、
前記容器に収容され揮発性の油系液体に不揮発性物質を配合した処方液と、
前記開口部に配置され、前記処方液を吸い上げ前記処方液中の揮発性液体を揮散させるための吸上揮散部材と、
を備え、
前記吸上揮散部材は、前記処方液を吸い上げる繊維層と、前記繊維層の一部を覆い絵柄表示領域を構成する親油性層とを含む、薬剤揮散器。
【請求項２】
前記撥水性層は、親油性の高い樹脂成分を分散或いは溶解した溶液を噴霧する塗工方法、グラビア印刷による塗工方法、または、スクリーン印刷による塗工方法により構成された層である、請求項１に記載の薬剤揮散器。
【請求項３】
前記親油性の高い樹脂成分は、ポリウレタンまたはポリエステルである、請求項２に記載の薬剤揮散器。
【請求項４】
前記不揮発性物質は色素である、請求項１から３のいずれかに記載の薬剤揮散器。
【請求項５】
前記繊維層の表面を覆う表面層をさらに備える、請求項１から４のいずれかに記載の薬剤揮散器。
【請求項６】
前記吸上揮散部材は、吸上げ部と揮散部とを有し、前記揮散部に前記絵柄表示領域を構成する前記親油性層が設けられる、請求項１から５のいずれかに記載の薬剤揮散器。
【請求項７】
前記吸上揮散部材は、前記吸上げ部と前記揮散部とが連続して一体化している、請求項６に記載の薬剤揮散器。
【請求項８】
前記吸上揮散部材は、前記吸上げ部と前記揮散部とが分離し、使用時に前記吸上げ部と前記揮散部とが接触するように設けられている、請求項６に記載の薬剤揮散器。
【請求項９】
開口部を有する容器と、
前記容器に収容され揮発性の油系液体に不揮発性物質を配合した処方液と、
前記開口部に配置され、前記処方液を吸い上げ、前記処方液中の揮発性液体を揮散させる吸上揮散部材と、
を備え、
前記吸上揮散部材は、分離して設けられた吸上げ部と揮散部とを含み、使用時に前記吸上げ部と前記揮散部とが接触するように設けられ、
前記揮散部は、前記処方液を吸い上げる繊維層と、前記繊維層の一部を覆い絵柄表示領域を構成する親油性層とを含み、
前記表面層の前記繊維層側には凹凸処理が施されている、薬剤揮散器。
【発明の詳細な説明】
【技術分野】
【０００１】
本発明は、容器の内部に収容した処方液を揮散させる薬剤揮散器に関する。なお、本明細書において「処方液」とは、薬剤揮散器に付与すべき機能（芳香効果／消臭効果／脱臭効果／防虫効果など）に応じた薬剤が処方された液体を意味するものとする。
【背景技術】
【０００２】
たとえば、家庭やマイカー等の室内空間の臭気による不快感をなくし、快適な空間を生み出すために、芳香剤等を自然に揮散させる小型の薬剤揮散器（芳香器）が広く使用されている。
【０００３】
この薬剤揮散器には、ゲル状、固形状、液状などの薬剤が用いられている。液状の薬剤（薬液）を用いる薬剤揮散器は、一般に、上部に開口部を有し薬液を収納する容器と吸上揮散部材とを備え、吸上揮散部材の一端部が薬液に浸漬され、他端部が容器の開口部から室内空間部に露出可能に構成されている。
【０００４】
吸上揮散部材による吸上揮散には、通常毛細管現象が利用されており、吸上部で処方液を吸い上げ、揮散部で空気中に薬液を揮散させるようになっている。そのため、吸上揮散部材には、たとえば、フエルトなどの不織布、パルプや合成繊維等の繊維質の材料が軽く固められた吸水性のあるものが利用されている。
【０００５】
特許文献１および２には、容器内に収容された吸上揮散部材を容器上部の開口から外気に露出するように引き上げることで、容器内の芳香液が吸上揮散部材から揮散される構成の芳香器が開示されている。
【０００６】
特許文献３には、容器内の芳香液が吸い上げ芯材により吸上げられ、吸い上げ芯材の上部に設けられた揮散部材から容器内の芳香液が揮散される構成の芳香消臭器が開示されている。
【０００７】
特許文献４には、装飾性のある吸水性基材の先端に複数の色に着色した結晶が析出する構成の装飾体が開示されている。
【０００８】
特許文献５には、容器の外部に露呈する吸上揮散部材を有し、吸上揮散部材に供給された溶媒を揮発させることで、吸上揮散部材に絵柄が表出する構成の揮散器が開示されている。
【０００９】
特許文献６には、絵柄を印刷したシートに、揮発性薬剤と色素を混合したワックス剤を塗布し、薬剤が約８０％揮発することでシート絵柄が表出する構成の機能材が開示されている。
【００１０】
特許文献７には、ガス不透過層と、薬剤浸透により屈折率の変わる基剤と、薬剤透過性基剤とからなり、３段階で減量とともに絵柄が変化する構成の薬液剤揮散装置が開示されている。
【００１１】
上記した薬剤揮散器は、家庭（リビング、玄関、トイレ等）やマイカー等の人の目に触れる場所に設置される場合が多い。そのため、薬剤揮散器にもインテリア性が求められる結果、外観におけるインテリア性が重要視され、容器についてはデザイン性が重視されている。一方、容器から露出する部分を有する吸上揮散部材については、露出面積（揮散面積）を大きく確保するという機能面が重視される一方、吸上揮散部材のデザイン性については十分考慮されていない。
【００１２】
上記特許文献５では、吸上揮散部材に供給された溶媒を揮発させることで、吸上揮散部材に模様が表出する構成が採用されているが、吸上揮散部材の先端部が色素により色付くことにより芳香の効果を視覚的に認知できるものの、任意形状の絵柄を局所的に付すことでデザイン性を向上させることについては考慮されていない。
【先行技術文献】
【特許文献】
【００１３】
【特許文献１】特開２００５−０００３２９号公報
【特許文献２】特開２００７−１０５４４７号公報
【特許文献３】特開２００８−０８６５２８号公報
【特許文献４】特開平０７−３２９４９８号公報
【特許文献５】特開２００４−３２９７９４号公報
【特許文献６】特開２００３−０３３４２８号公報
【特許文献７】特開平０９−１１７２４３号公報
【発明の概要】
【発明が解決しようとする課題】
【００１４】
この発明は上記課題を解決するためになされたもので、容器の内部に収容した処方液を揮散させる薬剤揮散器において、任意形状の絵柄や文字を局所的に表出させることが可能な揮散部を有する薬剤揮散器を提供することを目的とする。
【課題を解決するための手段】
【００１５】
この発明に基づいた薬剤揮散器においては、開口部を有する容器と、上記容器に収容され揮発性の油系液体に不揮発性物質を配合した処方液と、上記開口部に配置され、上記処方液を吸い上げ上記処方液中の揮発性液体を揮散させる吸上揮散部材とを備えている。
【００１６】
また、上記吸上揮散部材は、上記処方液を吸い上げる繊維層と、上記繊維層の一部を覆い絵柄表示領域を構成する親油性層とを含む。
【発明の効果】
【００１７】
この発明に基づいた薬剤揮散器によれば、任意形状の絵柄や文字を局所的に表出させることが可能な揮散部を有する薬剤揮散器を提供することを可能とする。
【図面の簡単な説明】
【００１８】
【図１】実施の形態１における薬剤揮散器の全体構成を示す図である。
【図２】実施の形態１における薬剤揮散器の揮散部を除く全体構成を示す断面図である。
【図３】実施の形態１における薬剤揮散器の保持枠および揮散部の構成を示す断面図である。
【図４】実施の形態１における薬剤揮散器の揮散部を引き上げた状態での全体構成を示す図である。
【図５】実施の形態１における揮散部を展開した状態を示す図である。
【図６】実施の形態１における揮散部に設けられる絵柄領域を示す図であり、（Ａ）は変化前の状態を示す図であり、（Ｂ）は変化後の状態を示す図である。
【図７】図５中のＶＩＩ−ＶＩＩ線矢視断面図である。
【図８】実施の形態１における揮散部の他の形態を示す断面図である。
【図９】実施の形態１における揮散部のさらに他の形態を示す断面図である。
【図１０】実施の形態２における薬剤揮散器の使用前の全体構成を示す断面図である。
【図１１】実施の形態２における薬剤揮散器の使用時の全体構成を示す断面図である。
【図１２】実施の形態２における揮散部に設けられる絵柄領域を示す図であり、（Ａ）は変化前の状態を示す図であり、（Ｂ）は変化後の状態を示す図である。
【図１３】実施の形態２における揮散部の他の形態を示す断面図である。
【図１４】実施の形態２における揮散部に設けられる他の形態絵柄領域を示す図であり、（Ａ）は変化前の状態を示す図であり、（Ｂ）は変化後の状態を示す図である。
【図１５】実施の形態２における揮散部のさらに他の形態を示す断面図である。
【発明を実施するための形態】
【００１９】
以下、本発明の各実施の形態における薬剤揮散器について、図を参照しながら説明する。なお、以下に説明する各実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。また、以下に複数の実施の形態が存在する場合、特に記載がある場合を除き、各々の実施の形態の構成を適宜組み合わせることは、当初から予定されている。
【００２０】
（実施の形態１）
（薬剤揮散器１Ａの全体構成）
図１から図３を参照して、本実施の形態における薬剤揮散器１Ａの全体構成について説明する。薬剤揮散器１Ａは、容器３の上端の開口部２にキャップ７が螺合されている。キャップ７には、その上端部でキャップ７に対して回転可能に連結された保持枠８が取り付けられている。
【００２１】
容器３の内部には、処方液４が収容されている。処方液４は、薬剤揮散器１Ａの使用にともなって徐々に減少するが、使用開示時には、容器３の略８割程度を占めている。なお、処方液４には揮発性の油系液体に不揮発性物質（色素）を配合した処方液４が用いられている。処方液４の詳細については後述する。
【００２２】
保持枠８の上端部には、嵌合孔９ａが設けられた連結部９が設けられている。キャップ７の頂部内面から突き出して設けられたボス７ａに連結部９の嵌合孔９ａを嵌合することで、保持枠８はキャップ７に回転可能に連結される。
【００２３】
ボス７ａは、先端頭部７ｂが、三つ割り状態の爪形に成形され、各爪の外面には、戻り止めの段部７ｃが設けられている。嵌合孔９ａに先端頭部７ｂを圧入することで、段部７ｃが連結部９の下面外周縁と係合し、ボス７ａが連結部９から抜け出ることなく、保持枠８がキャップ７に対して回転可能になる。
【００２４】
連結部９の下面両側には、補強板９ｂが設けられている。補強板９ｂには、容器３の内部下方まで延びる外枠８ａが設けられている。外枠８ａの下端部には、外枠８ａから外方に突出する係止部８ｂが設けられている。保持枠８を引き上げる際、保持枠８が容器３の首部１４に係止し、保持枠８が抜け出ることを防止する。
【００２５】
図３に、吸上揮散部材６の保持枠８への取り付け方の一例を示す。なお、吸上揮散部材６の詳細は後述する。帯状の形態を有する吸上揮散部材６は、吸上部６ａと揮散部６ｂとが連続して一体化されていた形態を有している。揮散部６ｂは、保持枠８に巻き回されるようにして保持枠８に取り付けられる。吸上部６ａは、保持枠８の下端部から吊り下げられるように取り付けられる。
【００２６】
なお、吸上揮散部材６に関し、全体の形状がほぼ帯状であり、吸上部６ａの幅よりも揮散部６ｂの幅の方が大きい場合について図示しているが、吸上部６ａの幅と揮散部６ｂの幅とが同じであってもかまわない。また、吸上揮散部材６の形状は帯状に限定されない。筒状、紐状など、処方液の吸上げ、揮散効果を有する形状であれば利用可能である。
【００２７】
上記構成を有する薬剤揮散器１Ａにおいて、容器３の開口部２にキャップ７が螺合された状態では、吸上部６ａは処方液４の中に浸漬し、揮散部６ｂの略全体が処方液４の中に浸漬している。
【００２８】
図４に、キャップ７を用いて、保持枠８を引き上げた状態を示す。開口部２の上方において揮散部６ｂが外気に露出する状態となり、処方液４の揮発成分が空気中に揮散する。保持枠８の引き上げ量を調節することで、処方液４の揮散量を調節することができる。また、揮散部６ｂにおいて匂い成分を吸収させることもできる。
【００２９】
図５の吸上揮散部材６の展開図に示すように、本実施の形態における揮散部６ｂの表面側の所定領域には、絵柄表示領域１００が設けられている。なお、揮散部６ｂの表面側とは、図３に示す揮散部６ｂの保持枠８への取り付け状態において、外側に位置する側を意味するものとする。また、絵柄表示領域１００は、揮散部６ｂを保持枠８に巻き回して固定した後、人の目に触れる位置に設けられる。なお、絵柄表示領域１００とは、絵、柄、模様若しくは文字又はこれらの結合によって構成される領域が他の領域との色彩の相違により浮かび上がるようにして表示される領域をいう。
【００３０】
この絵柄表示領域１００においては、花柄模様に親油処理された領域が設けられている。これにより、保持枠８を引き上げて揮散部６ｂが外気に露出する状態にした使用開示時から、処方液４は絵柄表示領域１００に積極的に吸収される。その結果、図６（Ａ）に示すように、揮散部６ｂに吸上げられた処方液４の色素の色と絵柄表示領域１００の色との間にコントラストが生じ、花柄模様を揮散部６ｂを浮かび上がらせることができる。なお、親油処理とは、処理面に親油性の高い樹脂成分を分散或いは溶解した溶液を噴霧や印刷などにより塗工し、親油性を高める処理方法である。
【００３１】
また、保持枠８を引き上げて揮散部６ｂが外気に露出する状態を維持した場合には、時間の経過とともに、絵柄表示領域１００の表面には、処方液４の色素が徐々に蓄積される。その結果、絵柄表示領域１００の表面における色素の色が徐々に濃くなる。これにより、図６（Ｂ）に示すように、さらに明瞭に花柄模様を揮散部６ｂに浮かび上がらせることができる。
【００３２】
（吸上揮散部材６）
以下、図７を参照して、上記した絵柄表示領域１００を有する吸上揮散部材６の詳細断面構造について説明する。吸上揮散部材６は、処方液４を吸い上げる繊維層１１０と、繊維層１１０の表面側を覆う表面層１２０と、表面層１２０の一部を覆い絵柄表示領域１００を構成する親油性層１３０とを有している。
【００３３】
繊維層１１０は、毛細管現象を利用した処方液４の吸上・揮散効果に優れた機能が求められる。繊維としては植物繊維やパルプなどの天然繊維やレーヨン、ポリエステル、ポリエチレンテレフタレート、ポリプロピレン、ポリエチレンなどの合成繊維又はそれらの混合繊維などの繊維質材料で構成することができる。なお、本実施の形態においては、処方液４として、揮発性の油系液体に不揮発性物質（色素）を配合した処方液が用いられていることから、ポリエステルが好適である。
【００３４】
繊維層１１０は、植物繊維やパルプなどの天然繊維やレーヨン、ポリエステル、ポリエチレンテレフタレート、ポリプロピレン、ポリエチレンなどの合成繊維又はそれらの混合繊維などの繊維質材料に低融点繊維（融点の低いポリプロピレンやポリエチレンなどの合成繊維）を混合して熱溶着させるサーマルボンド法やエアレイド法、あるいは繊維同士を絡ませるニードルパンチ法などの製法によって製造され、全体の形が保持されている。この他、織物、編物などの層であってもよい。
【００３５】
繊維層１１０の厚さは特に限定されないが、容器３の大きさ、取り扱い性、付与すべき機能（芳香効果／消臭効果／脱臭効果／防虫効果など）の観点から、約２ｍｍ〜約２０ｍｍ程度が好ましい。特に、全体の形状が帯状で、折り畳むように曲げる必要がある場合には、目付けにもよるが、厚さ約１０ｍｍ以下が好ましく、揮散部６ｂに関しては厚さ約２０ｍｍまでとすることができる。
【００３６】
また、繊維層１１０は必ずしも繊維質材料の層で構成されていなくてもよい。毛細管現象を利用した処方液の吸い上げが可能であれば、たとえば、編織物、発泡ウレタンなどの合成樹脂製のスポンジ材料を用いることもできる。
【００３７】
表面層１２０は、内部の繊維層１１０を構成する繊維質材料の形状を保持する機能を有するとともに、吸上揮散部材６に引張りなどの外力に耐える強度を与える効果を有している。また、繊維層１１０に表面層１２０を設けることで、繊維層１１０の表面の毛羽立ちや繊維の脱落を抑制し、表面層１２０からの処方液４の揮散量の調節、および処方液４中への繊維の溶出を防止することもできる。
【００３８】
表面層１２０には、レーヨン、アクリル、ポリエステル、ポリプロピレン、ポリエチレンなどの繊維で構成される不織布や、パルプなどの紙状のものが用いられる。厚さは、目付けにもよるが、約０．１ｍｍ〜１ｍｍ程度が好ましい。繊維層１２０としては、スパンボンド法、スパンレース法、サーマルボンド法などによって製造される不織布が好適であり、この繊維層１２０は、表面に対してほぼ水平方向に繊維が並んで、全体の形が保持されている。
【００３９】
親油性層１３０は、油系の処方液４を吸収する必要があるため、ポリウレタン、ポリエチレンなどの親油性の高い樹脂成分を分散或いは溶解した溶液を噴霧する塗工方法、グラビア印刷による塗工方法、または、スクリーン印刷による塗工方法により構成された層で構成することができる。厚さは、目付けにもよるが、約０．１ｍｍ〜１ｍｍ程度が好ましい。
【００４０】
（吸上揮散部材６の製造方法）
吸上揮散部材６は、次の方法によって製造することができる。吸上揮散部材６の繊維層１１０を構成する主な繊維は、前述のように植物繊維やパルプなどの天然繊維、人造繊維又はそれらの混合繊維などであり、はじめに、それらの繊維質材料を砕いて短くする。その繊維質材料に熱融着性繊維をできるだけ均一に混合する。この混合物により、たとえば、シート状のウエブを形成する。
【００４１】
表面層１２０を形成する場合には、繊維層１１０の両面に、たとえば、薄いレーヨンなどの繊維を重ね合わせる。次に、表面層１２０でサンドイッチされたウエブを熱融着性繊維の溶融温度より高い温度であって、その他の材料が熱による損傷を受けない温度以下に加熱する。この加熱によって、繊維層１１０の形が保持された吸上揮散部材６の繊維層１１０を形成することができる。
【００４２】
熱融着性繊維としては、たとえば、ポリエチレン繊維、ポリプロピレン繊維、ポリ塩化ビニル繊維等を使用することができる。なお、バインダには、熱融着性繊維以外に、液状のバインダを利用することもできる。
【００４３】
親油性層１３０は、次の方法によって形成することができる。揮発部表面にポリウレタン、ポリエステルなどの樹脂成分を分散或いは溶解した溶液をグラビア印刷、スクリーン印刷などにより装飾的に塗工することで形成することができる。
【００４４】
（処方液４）
本実施の形態おいて用いる処方液４について説明する。処方液４は、揮発性の油系液体に不揮発性物質を配合している。揮発性の油系液体としては、香料や油系の溶剤を主成分として用いることができる。油系溶剤としては、イソパラフィン、ポリブテン、プロピレングリコールモノプロピルエーテル、ラウリン酸ヘキシル、ミリスチン酸イソプロピル等を挙げることが可能であるが、親油性層への吸収が促進される限り、これらに限定されない。この場合も、少量の水性の成分（消臭剤等の有効成分）を配合したい場合は、界面活性剤等を用いて、公知の方法で適宜、可溶化や乳化をすることができる（水性成分を配合する場合も、親油性層による吸収促進が妨げられない限り許容される）。
【００４５】
例えば、処方液４を油系の液体芳香剤とする場合、油系溶剤（イソパラフィン）７０％、ラベンダー調の調合香料３０％、として調製することができる。
【００４６】
上記のようにして調合した揮発性の油系液体をベースとして、不揮発性物質として適当量（微量）の色素や染料が加えられる。たとえば、Ｓｏｌｖｅｎｔ  Ｇｒｅｅｎ  ２９、Ｓｏｌｖｅｎｔ  Ｒｅｄ  １４６、Ｄｉｓｐｅｒｓｅ  Ｙｅｌｌｏｗ  ５４等が例示されるが、これらに特に限定されるものではない。この他に、必要に応じて界面活性剤、乳化剤、防腐剤、ＵＶ吸収剤、消臭剤、殺虫剤、防虫剤、忌避剤などが適宜配合される。
【００４７】
以上、本実施の形態における薬剤揮散器１Ａによれば、揮散部６ｂに親油処理された絵柄表示領域１００が設けられている。これにより、保持枠８を引き上げて揮散部６ｂが外気に露出する状態にした使用開示時から、揮発性の油系液体をベースとする処方液４は絵柄表示領域１００に積極的に吸収されることとなる。
【００４８】
また、保持枠８を引き上げて揮散部６ｂが外気に露出する状態を維持した場合には、時間の経過とともに、絵柄表示領域１００の表面には、処方液４の色素が徐々に蓄積される。その結果、絵柄表示領域１００の表面における色素の色が徐々に濃くなる。これにより、さらに明瞭に花柄模様を揮散部６ｂに浮かび上がらせることができる。
【００４９】
以上により、本実施の形態における薬剤揮散器１Ａによれば、使用開始時は全体として同じ色調であるが、時間の経過とともに、絵柄表示領域１００には、処方液４の色素がより多く蓄積される。これにより、絵柄表示領域１００における色素の色が他の領域と比較して徐々に濃くなり、図６（Ｂ）に示すように、明瞭に花柄模様を絵柄表示領域１００に浮かび上がり、絵柄表示領域１００においては、絵柄表示領域１００が設けられていない領域よりも、絵柄表示領域１００が設けられている領域における色彩の変化が人の目により明確に感知されることとなる。これにより、薬剤揮散器１Ａの使用感を高め、また、薬剤揮散器１Ａに付与される薬剤等の効果感・効き目感を高めることが可能となる。
【００５０】
なお、吸上揮散部材６の構成として、図７においては、繊維層１１０の上に表面層１２０を形成し、この表面層１２０の上に親油性層１３０を形成する場合について説明したが、この構造に限られない。たとえば、図８に示すように、表面層１２０を設けることなく繊維層１１０の上に直接親油性層１３０を設ける構成を採用することも可能である。
【００５１】
また、他の構成として、図９に示すように、繊維層１１０の上に親油性層１３０を形成し、この親油性層１３０の上に表面層１２０を形成しても良い。この図９に示す構成では、繊維層１１０の上に設けられた親油性層１３０により油系の処方液４が積極的に吸上げられる。これにより、表面層１２０においては、親油性層１３０に接しない領域に比較して、親油性層１３０に接する領域の表面層１２０の部分においては油系の処方液４が積極的に吸上げられる。その結果、絵柄表示領域１００の表面における色素の色が徐々に濃くなる。これにより、花柄模様を揮散部６ｂに浮かび上がらせることができる。
【００５２】
（実施の形態２）
上記実施の形態１における薬剤揮散器１Ａにおいては、吸上部６ａと揮散部６ｂとが連続して一体化され、保持枠８を引き上げて揮散部６ｂが外気に露出する機構を採用した場合について説明した。
【００５３】
本実施の形態における薬剤揮散器１Ｂは、吸上部６ａと揮散部６ｂとは切り離されており、使用時に両者が接触し、処方液４が吸上部６ａから揮散部６ｂに移動するように構成したものである。なお、処方液４および揮散部６ｂの構造については、上記実施の形態１で説明したものと同様のものを用いることができる。よって、以下の説明では、薬剤揮散器１Ｂの構造について説明する。
【００５４】
（薬剤揮散器１Ｂの全体構成）
まず、図１０を参照して、使用前における本実施の形態における薬剤揮散器１Ｂの全体構成について説明する。吸上部６ａは、容器３の開口部２に設けられた支持部材１５により保持されている。吸上部６ａの先端の一部が容器３の開口部２から突出した状態で支持部材１５により保持されている。容器３の開口部２から突出した吸上部６ａの上部を覆うようにキャップ１６が開口部２の外周に螺合している。
【００５５】
容器３の上部に、揮散部６ｂを支持する揮散部支持部材１７が、容器３に対して取り外し可能な状態で固定されている。揮散部６ｂは、その表面部分が外部に露出した状態で揮散部支持部材１７に支持されている。
【００５６】
図１１を参照して、薬剤揮散器１Ｂの使用時の状態について説明する。使用時には、容器３から揮散部支持部材１７を一旦取り外す。次に、容器３の開口部２からキャップ１６を取り除く。次に、揮散部支持部材１７を容器３に再度固定する。
【００５７】
これにより、容器３の開口部２から突出している吸上部６ａの先端が、揮散部支持部材１７に支持されている揮散部６ｂと接触する状態となり、処方液４が吸上部６ａから揮散部６ｂに移動可能となる。揮散部支持部材１７の内周に設けられた凸部１７ａが、容器３の溝部３ａに嵌まることで、容器３に対する揮散部支持部材１７の固定が可能となる。
【００５８】
揮散部支持部材１７に設けられた凸部１７ａが、容器３に設けられた複数の溝部３ａ、所定の溝部３ａに嵌まることで、容器３に対する揮散部支持部材１７の位置決めが行なわれる。
【００５９】
このように、吸上部６ａと揮散部６ｂとが使用時に接触するように構成されている場合には、揮散部６ｂの形状は、ブロック状、円板状、その他のより複雑な形状など、様々な形状を採用することができる。
【００６０】
以上、本実施の形態２における薬剤揮散器１Ｂにおいても、実施の形態１における薬剤揮散器１Ａと同様に、花柄模様の絵柄を局所的に表出させることが可能な揮散部６ｂを有する薬剤揮散器を提供することが可能となる。
【００６１】
具体的には、絵柄表示領域１００においては、吸上部６ａと揮散部６ｂとが接触した当初は、図１２（Ａ）に示すように、揮散部６ｂと絵柄表示領域１００との間に色のコントラストは大きく生じないが、時間の経過とともに、絵柄表示領域１００の表面には、処方液４の色素が徐々に蓄積される。その結果、図１２（Ｂ）に示すように、絵柄表示領域１００の表面における色素の色が徐々に濃くなる。これにより、さらに明瞭に花柄模様を揮散部６ｂに浮かび上がらせることができる。
【００６２】
また、他の吸上揮散部材６の構成として、図１３に示すように、繊維層１１０の上に表面層１２０を形成し、この表面層１２０の上に親油性層１３０を形成する場合であっても、表面層１２０の繊維層１１０に接する側の表面にエンボス加工１２０ｅを施して、繊維層１１０に対して表面層１２０を点接触させることも可能である。エンボスの個数は、１ｃｍ２〜５ｃｍ２当りに１個程度、エンボス１個当りの横断面積は０．０１ｍｍ２〜３ｍｍ２、エンボス加工の凹凸の程度は、０．２ｍｍ〜１ｍｍ程度が好ましい。
【００６３】
この図１３に示す構成では、繊維層１１０の表面と表面層１２０との間に一定の距離が確保されることになる。その結果、図１４（Ａ）に示すように、使用開始時は処方液４が上がっていないため、絵柄表示領域１００は他の領域と同じ色調であるが、親油性層１３０が設けられた領域は、油性層１３０が設けられていない領域に比べて、時間の経過とともに、処方液４の色素がより多く蓄積される。これにより、絵柄表示領域１００における色素の色が徐々に濃くなり、図１４（Ｂ）に示すように、明瞭に花柄模様が絵柄表示領域１００に浮かび上がり、絵柄表示領域１００においては、絵柄表示領域１００が設けられていない領域よりも、絵柄表示領域１００が設けられている領域における色彩の変化が人の目により明確に感知されることとなる。これにより、薬剤揮散器１Ａの使用感を高め、また、薬剤揮散器１Ａに付与される薬剤等の効果感・効き目感を高めることが可能となる。
【００６４】
また、図１３に示す構成では、表面層１２０の繊維層１１０側にエンボス加工１２０ｅを施すことにより、表面層１２０と繊維層１１０とが点接触状態となり、繊維層１１０の表面と表面層１２０との間に一定の距離が確保されることになる。その結果、繊維層１１０により吸上げられた処方液４の色は、表面層１２０には殆ど写らないことから、図１２（Ｂ）に示す場合よりも図１４（Ｂ）に示す構成の方が、より明瞭に花柄模様を絵柄表示領域１００に浮かび上がらせることができる。
【００６５】
なお、図１５に示すように、繊維層１１０の上に表面層１２０を設け、この表面層１２０の上面側にエンボス加工１２０ｅを施し、このエンボス加工１２０ｅの上にさらに別の表面層１２１を設け、この表面層１２１の上に絵柄表示領域１００を設ける構成を採用することも可能である。
【００６６】
なお、上記各実施の形態では、絵柄表示領域１００の一例として花柄を採用した場合について説明しているが、絵柄は花柄に限定されるものでなく、動物、建物、漫画のキャラクターその他の絵、柄、模様若しくは文字又はこれらの結合によって表示される領域を採用することで、揮散部のデザイン性を高めることが可能である。
【００６７】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００６８】
１Ａ，１Ｂ  揮散器、２  開口部、３  容器、３ａ  溝部、４  処方液、６  吸上揮散部材、６ａ  吸上部、６ｂ  揮散部、７  キャップ、７ａ  ボス、７ｂ  先端頭部、７ｃ  段部、８  保持枠、８ａ  外枠、８ｂ  係止部、９  連結部、９ａ  嵌合孔、９ｂ  補強板、１４  首部、１５  支持部材、１６  キャップ、１７  揮散部支持部材、１７ａ  凸部、１００  絵柄表示領域、１１０  繊維層、１２０,１２１  表面層、１３０  親油性層。
【図１】
2011072607.tif 000003
【図２】
2011072607.tif 000004
【図３】
2011072607.tif 000005
【図４】
2011072607.tif 000006
【図５】
2011072607.tif 000007
【図６】
2011072607.tif 000008
【図７】
2011072607.tif 000009
【図８】
2011072607.tif 000010
【図９】
2011072607.tif 000011
【図１０】
2011072607.tif 000012
【図１１】
2011072607.tif 000013
【図１２】
2011072607.tif 000014
【図１３】
2011072607.tif 000015
【図１４】
2011072607.tif 000016
【図１５】
2011072607.tif 000017